(57)【要約】【課題】  文字等を表示する方法は、現代随所で数多く用いられ、そのためには、かなり多くの電力と費用を要している。このことから、少ない費用と低い電力の消費で表示できる表示装置が必要である。そこで、扱いやすく経済的な文字の表示を行うべく文字表示装置を提供する。【解決手段】  数字や文章等を用途に応じて分解し、文字表示パネル２に内部描画４をして文字表示装置１に収納する。収納した内容を所望の求めに応じ表示パネル選択コントロ−ラ７にキ−ボックス９より入力した指示に従い情報を文字表示装置１より表示される。単体の文字は勿論のこと短い文章等の表示に適していることから、電車やバス等の発着に、また、商店や施設等の案内等には安価で手軽な利用ができるよう、文字表示パネル２には合成樹脂を用いることから重量も軽くでき、光源にはＬＥＤ６等を用いているため低電圧で配線も容易であり、経済的で誰にでも工事ができ、現代に適応する優れた装置である。【選択図】図１
2005049724.tif 000002
【特許請求の範囲】
【請求項１】
複数層に重ねられた数枚の薄厚、透明又は半透明のガラス又は合成樹脂板にレ−ザ加工により数字及び／又は文字、又は数字構成要素又は文字構成要素を内部描画し、前記数字及び／又は文字、又は数字構成要素又は文字構成要素の組み合せにより所望の表示情報を選択的に表示する文字表示パネルであって、前記組合せに対応する数字構成要素においては０から９の夫々の数字が形成され、文字構成要素においては所望の文字が形成され、前記数字及び／又は文字、又は数字構成要素又は文字構成要素が照明光の選択的照射により照明表示され、前記選択がコンピュ−タにより行われることを特徴とする文字表示装置。
【請求項２】
前記数字構成要素は０〜９の数字を構成する数字マーク片からなり、前記文字構成要素は文字のへん又は作りや文字の形成に必要な任意形状の文字マーク片からなることを特徴とする請求項１に記載の文字表示装置。
【請求項３】
前記請求項１又は請求項２の文字表示装置は、複数個隣接して配置され、前記文字表示装置の夫々に数字及び／又は文字を表示し、その組合せにより所望の情報伝達を行うべく形成されることを特徴とする文字表示装置。
【発明の詳細な説明】
【技術分野】
【０００１】
本発明は、例えば、乗り物あるいは施設等の時刻等の表示装置として使用され、必要とする文字情報を伝達するための表示パネルに係り、特に、簡便安価に実施され、複雑なコントロ−ル手段を必要とせず、長期間使用でき、用途範囲も広い文字表示装置に関する。
【背景技術】
【０００２】
バスや電車等の交通案内の一つとして文字表示による情報伝達がある。例えば、電車が何時何分にその駅に発車あるいは到着するかを文字表示して乗客の便を図るものが多く採用されている。これらのものは例えば、電球あるいはＬＥＤ等を使用し、コンピュ−タコントロ−ルにより必要とされる数多くのＬＥＤにより照明し、これにより文字情報表示を行うものが鉄道の時刻案内等に広く用いられている。文字片の組合せにより必要とする文字表示を公知技術として特許文献１があり、タッチパネルから数字や文字を入力して必要な文字等を表示する公知技術として特許文献２がある。プラスチック板にレ−ザ加工により必要の文字表示行う公知技術として特許文献３があり、合成樹脂板の内部に文字等を描画する公知技術として特許文献４がある。
【０００３】
【特許文献１】特開平１１−２０２８２１号公報（全頁）
【特許文献２】特開平５−２６５３８２号公報（全頁）
【特許文献３】特開２００３−６６０６号公報（全頁）
【特許文献４】特開２００２−２１１１９７号公報（全頁）
【発明の開示】
【発明が解決しようとする課題】
【０００４】
特開平１１−２０２８２１号公報の「建造物への特大文字の表示と、その施工法」は、色違いの石材タイルを接着剤で建築物に接着して所望の文字を表示するものであり、固定的のものであると共に内部に文字情報を形成するものではなく、破損し易く、かつ耐久性がない。また、特開平５−２６５３８２号公報の「多用途表示装置」は、タッチパネルを用いて文字や数字を入力して所望の文字情報を表示するものであり各種の文字情報の表示伝達ができて便利であるが、自動コントロ−ルでなく、かつ、やや複雑な電子回路等を必要とし、故障し易く耐久性も低い。また、特開２００３−６６０６号公報の「レ−ザ加工による識別マ−ク付きカ−ド」は、プラスチックを用いレ−ザ加工によって必要文字情報を表示する点において本発明と似ている点もあるが、数字表示を目的とするものではなく、かつ、文字等が内部描画されるものでない。また、特開２００２−２１１１９７号公報の「内部に光照描画を有する透明体」は、本発明の出願人と同一の出願人によるものであり、レ−ザ加工により内部描画する技術が開示されているが、光照画像描画を目的とするものであり、複数の表示片を組合せて一つの文字表示を行うものでなく、構成目的に応じて異なるものである。
【０００５】
文字情報を伝達する場合、完成した文字を多数列並べてこれにより所要の文字情報を伝達する手段があるが、仮に一つの文字表示パネルに０から９までの数字を選択的に表示するには０から９までの数字を内部描画した複数板（１０枚）のプレ−トが必要になり、これを選択的に照光表示することが必要となる。この場合には夫々の数字全体をＬＥＤで照射する必要があり、使用されるＬＥＤの数が多くなり、その分、電力を消費する。勿論、文字片は内部描画されることが耐久性向上の面で必要であり、透明または半透明の軽量な合成樹脂板を用いることが要請される。
【０００６】
本発明は、以上の要請に鑑みて発明されたものであり、簡便、安価に実施され、軽量で耐久性があり、必要とする文字情報を明確に表示でき、省電力化が図れる文字表示装置を提供することを目的とする。
【課題を解決するための手段】
【０００７】
本発明は、以上の目的を達成するために、複数層に重ねられた数枚の薄厚、透明又は半透明のガラス又は合成樹脂板にレ−ザ加工により数字及び／又は文字、又は数字構成要素又は文字構成要素を内部描画し、前記数字及び／又は文字、又は数字構成要素又は文字構成要素の組み合せにより所望の表示情報を選択的に表示する文字表示パネルであって、前記組合せに対応する数字構成要素においては０から９の夫々の数字が形成され、文字構成要素においては所望の文字が形成され、前記数字及び／又は文字、又は数字構成要素又は文字構成要素が照明光の選択的照射により照明表示され、前記選択がコンピュ−タにより行われることを特徴とする。０から９の数字に対応する数字マ−ク片のみを照明光により選択的に照射することにより０から９の数字の内の一つの数字が明確に表示される。この数字マ−ク片は内部描画されているため外部からの損傷を受けず長期間の使用に耐えられる。また、完成した数字に比べて数字マ−ク片の形成は容易であり、低コストである。また、完成した数字に比べて数字マ−ク片の照明は少数の照明体の照射でよく、省電力化が図れる。
【０００８】
また、請求項２の発明は、前記数字構成要素は０〜９の数字を構成する数字マーク片からなり、前記文字構成要素は文字のへん又は作りや文字の形成に必要な任意形状の文字マーク片からなることを特徴とする。数字マ−ク片は、内部描画による単に１本の直線によるものであるが、内部描画された文字表示パネルを重ね合わせることにより文字を構成することができ、特に、数字マ−ク片をに於いては、文字仮想線に設定された範囲において、好みの形態に変化させたり、１文字内に数字マ−ク片毎色彩を変化させることも可能であり、また、文字即ち漢字に於いても漢字１文字を分解し、文字マ−ク片を文字表示パネルに内部描画し、重ね合わせて順序よく照明を加えていくことにより漢字の指導にも使用できる。
【０００９】
請求項３の発明は、前記請求項１又は請求項２の文字表示装置は、複数個隣接して配置され、前記文字表示装置の夫々に数字及び／又は文字を表示し、その組合せにより所望の情報伝達を行うべく形成されることを特徴とする。文字表示パネルに内部描画されたものを７乃至１０枚程度重ね合わせて１ブロックとして構成し、前記ブロックを複数個隣接して連続した数字を構成するもので、用途に応じてブロック数を設定し、構成されたブロック全体を格納函で固定したものである。また、格納函は、基板と側板と天板と背板から成り、基板には照明のための器具を備え、側板と天板を透明にしたり背板に色彩を持たせたり、あるいは取り外したりして文字表示パネルから漏れる照明の美観を楽しむこともできる。表示する情報量の多い場合は、数字マ−ク片や文字マ−ク片のみによることなく、完成された文字を文字表示パネルに内部描画して置き、連続した数字または短い文章あるいは時間等の表示を各ブロックの第１枚目あるいは第２枚目または第３枚目次に第４枚目と、第１枚目から数えて同一Ｘ枚目に表示したい文章または数字を並ぶように重ねて置き、同一Ｘ枚目の照明を点灯することにより目的とする文章または数字が文字表示装置に表示され、特に重要視すべきものがあれば、その箇所に色彩の変化を与える等して人の目を喚起をすることもできる。
【発明の効果】
【００１０】
１）本発明の請求項１の文字表示装置によれば、数字や文字を分解して再構成するため、文字の形や構成、あるいは、部分的に色彩の変化を与えることができることから、注意を特定の箇所に喚起できるため、数字あるいは数字マ−ク片の特定の箇所に色彩の変化や点滅等もでき、注意を促したり目を楽しませたりすることも可能であり、また、漢字の筆順のような順序性を求められるものには本発明の文字表示装置が適しており、特定の位置にスポットを当てたりできること等から、指導の徹底と教育効果を上げることができる。また、レ−ザで内部描画をすることから、前記の所望の位置に色彩を持たせたり、点滅の方法を活用して商標やマ−ク等を挿入したり、文字表示と交代にＳＯＳの点滅をする等、高度な表示も可能でありながら安価に設置できる得点がある。
２）本発明の請求項２の文字表示装置によれば、０から９までの夫々の数字を数字マ−ク片に分解し構成するため、例えば、数字マ−ク片があまり大きくない場合、数字マ−ク片が縦１本で「  」の字のような場合には照明を１個で照射でき、現在、諸種の方法で文字表現されている方法に比べて安価な方法といえる。
３）本発明の請求項３の文字表示装置によれば、文字表示パネルを数枚重ね合わせて１ブロックとし、それを複数個隣接して配置することにより、多数の桁数を連れることができるばかりか、数字の表示ばかりではなく、短い文章であれば所望の情報を伝達することができると共に、内部描画されていることから表示された文字の寿命を長く保たせることができる。また、格納函は、基板と側板と天板と背板から成り、側板と天板を透明にしたり背板に色彩を持たせたり、側板と天板と背板等を取り外したりすることにより照明の変化に品位を持たせ高級な展示品の展示効果を上げることもできる。また、情報量の多い場合は予め文字表示パネルに一般的に用いられている文字を内部描画して置くことにより文章の表示も可能であり電車やバス等の発着に、また、商店や施設等の案内等には安価で手軽な利用ができる。また、文字表示パネルには合成樹脂を用い、光源には低電圧の照明を使用していることから、配線も容易で、重量も軽くでき誰にでも工事ができるという大衆的な装置といえる。
【発明を実施するための最良の形態】
【００１１】
本発明は、球場や大きな施設で、テレビやＤＶＤ等を大画面で放映するような高価な装置ではなく、コンビニエンスストア等の案内からバスや電車の時間表示、更には、商店あるいは施設等で数字で表示するもの、また、短い文章で１０数種前後のものを各文字表示パネル２に内部描画４して置き、必要とされる内容の数字や文字または数字マ−ク片１２あるいは漢字やかな等の文字マ−ク片３２を内部描画４し、文字表示パネル２に照明を照射して、ここでは、ＬＥＤ６により注意を促す文字表示装置１である。
【実施例】
【００１２】
以下、本発明の文字表示装置１の実施例を図面を参照して詳述する。図１は本発明の文字表示装置１の側面図で、数枚の文字表示パネル２を格納函３に収納し文字表示パネル２の下方からＬＥＤ６により内部描画４されているところを照射している状態であり、文字表示パネル２の面積が大きい場合は、使用するＬＥＤ６の数を多くしなければならないため、電源８はＡＣ１００ボルトからの利用となる。数枚の文字表示パネル２をもって１個のブロックとし、各文字表示パネル２には内部描画４された数字マ−ク片１２または文字マ−ク片２３あるいは完成した数字および文字により構成されており、断面図で見る数枚の文字表示パネル２で１ブロックを表し、前記ブロックが数個並んでおり、これらの各文字表示パネル２に、あるいは、文字または文章に照明と変化を持たせるために照明ＬＥＤ６を点灯しなければならない、このことから、表示パネル選択コントロ−ラ７を設置し、キ−ボックス９よりからの指示に従い所望の求めに対応している。図２は図１の内部描画４の数字を構成するための文字仮想線１１で、文字、特に数字を構成するための位置を取り決めておくためのものである。図３は５枚の文字表示パネル２に数字マ−ク片１２にそれぞれ内部描画４をして置き、ＬＥＤ６の点灯により離れて見ると「５」の文字がくっきりと浮かんで見える。図４は前記文字仮想線１１の位置に数字マ−ク１２を前記で述べた数字「５」を表示するために５枚の文字表示パネル２を１枚宛並べたもの、図５は１個の漢字を図４の数字の如く分解したもので、ここでは「登」の文字を筆順に応じて１０枚の文字表示パネル２に振り分け、内部描画４を実施後重ね合わせ１個のブロックにまとめ第１ブロック１３としたものである。漢字の場合は全ての漢字が１０枚とは限らないため、画数の多い場合には以前に「口」を指導をしたことがあれば省略する等して他ブロックの枚数に合わせると操作をしやすくできる。図６は図４において述べた如く、文字仮想線１１に添って数字マ−ク１２により０および１乃至９までの数字を内部描画４したもの、図７は文字表示装置１の正面図であり、表示パネル２を数枚重ねて１個のブロックとしたものを第１ブロック１３乃至第７ブロック１９の７個を格納函３に収納したものであるが、用途に応じて７個とは限らない。また、格納函３は、基板２７と側板２５と天板２４と背板２６からできているが、基板２７以外は一体になっているのが扱い易い、背板２６に色彩を持たせたり、側板２５と天板２４を透明若しくは取り外したりして文字表示パネル２から漏れる照明の美しさは各種好みの用途に用いることができる。基板２７には照明のための器具を備えており、照明器具の電源は表示パネル選択コントロ−ラ７に接続されている。図８は文字と数字およびアルファベットの混じったものを表示した場合で、各ブロックの第１枚目に（ａ）群、即ち、「出発時刻ＡＭ９：００」と表示し、各ブロックの第２枚目には「到着時刻ＰＭ４：４５」と表示するのだが「出発」を「到着」に「Ａ」を「Ｐ」へと、また、「９：００」を「４：４５」と取り替えることを（ｂ）群により行うことにより表示の目的が変更でき、更に、各ブロックの第３枚目の（ｃ）群に「事故のため１時間遅れ」と入れて置き、図９の如くＳＯＳの文字を中抜き２８にし照明により着色して点滅等を行うのも効果的であり、前記に重ね各ブロックの第Ｘ枚目に必要な文章の内部描画４を連ねておくことにより、文章は１０数種程度ではあるが簡便で安価な方法である。
【００１３】
また、図示はしないが図８の例の如く最初からパソコンまたはワ−プロ等で作成した文字を表示パネル２に内部描画４するのも便利である。例えば、英文に例を採ると、文字表示装置１から各ブロックを抜き取り、各ブロックの第１枚目に「ｇｌｉｓｔｅｎ」を、第２枚目に「ｇｌｉｓｎ」（発音記号）第３枚目に「きらきら輝く」を、更に、第４枚目に「ｇｌｉｔｔｅｒ」を、第５枚目に「ｇｌｉｔｔｅｄ」を、第６枚目に「ｇｌｉｔｔｓ」を、第７枚目には「ｇｌｉｔｔｉｎｇ」等の計７枚組をセットにして８っのブロックに分け、文字表示装置１にスペルの順に合わせて各ブロックを挿入し、指導者の意図に従ってキ−ボックス９のボタンを押すことにより英単語の指導に大いに役立つことができる。このように、英語の誤りやすいスペル等に用い、また、重要な箇所には赤色の照射をする等もでき、英文と限らず誤字の多い漢字や和文に於いても同じような利用ができ、教育用にも広範な活用ができる。
【産業上の利用可能性】
【００１４】
本発明の文字表示装置は、特に、室内の使用にいて電力の消費を少なくできるため、工場やオフイスあるいは博物館の掲示等には最適である。工場の機械の切り替えによる作業指示の変更や新たな注意事項の指示、生産ラインの表示、農産物選別の通過個数と種別の表示、クリ−ンル−ムにおける粉塵の外部表示、高速道路の標識、トンネルの入口、スポ−ツ施設の点数表示、ス−パまたはデパ−ト等の商品表示、あるいは時刻の表示等、僅かな漢字と数字を交え１０数種前後の切り替えで表示を取り替えたりする場合の利用に於いては、安価で手軽に利用でき経済的な表示装置として産業界に役立つことができる。
【図面の簡単な説明】
【００１５】
【図１】文字表示装置と他の機器との関連と文字表示装置の側断面図。
【図２】数字を構成する文字マ−ク片を配置する文字仮想線の正面図。
【図３】文字表示パネルにより「５」の数字を構成し、下方から照明を照射している略図。
【図４】「５」の数字を文字仮想線に従い内部描画されている個々のパネルの正面図。
【図５】「登」の文字を分解し、各文字マ−ク片に内部描画をした文字表示パネルの正面図。
【図６】文字表示パネルに０乃至９までの数字を数字マ−ク片毎内部描画し、各々を重ね合わせ照明を照射した場合の正面図。
【図７】数字マ−ク片を内部描画した文字表示パネルを重ね合わせ、ブロック毎任意の順序で格納函に収納し、照明を照射した場合の正面図。
【図８】（ａ）は既成の文字を文字表示パネルに内部描画し、ブロック毎の第１枚目に構成する順に並べた文字表示パネルの正面図。（ｂ）は前記（ａ）郡と入れ替えをするために、各ブロックの第２枚目に構成する内部描画された文字表示パネルの正面図。（ｃ）は各ブロックの第３枚目に構成するため、内部描画された文字表示パネルの正面図。
【図９】中抜き文字を使用して内部描画をした文字表示パネルの正面図。
【符号の説明】
【００１６】
１    文字表示装置
２    文字表示パネル
３    格納函
４    内部描画
５    遮蔽板
６    ＬＥＤ
７    文字表示パネル選択コントロ−ラ
８    電源
９    キ−ボックス
１０  透明板
１１  文字仮想線
１２  数字マ−ク片
１３  第１ブロック
１４  第２ブロック
１５  第３ブロック
１６  第４ブロック
１７  第５ブロック
１８  第６ブロック
１９  第７ブロック
２０  第８ブロック
２１  第９ブロック
２２  第１０ブロック
２３  文字マ−ク片
２４  天板
２５  側板    
２６  背板
２７  基板
２８  中抜き文字
【図１】
2005049724.tif 000003
【図２】
2005049724.tif 000004
【図３】
2005049724.tif 000005
【図４】
2005049724.tif 000006
【図５】
2005049724.tif 000007
【図６】
2005049724.tif 000008
【図７】
2005049724.tif 000009
【図８】
2005049724.tif 000010
【図９】
2005049724.tif 000011